(57)【要約】      （修正有）【課題】液体を大気中に噴霧する噴霧器であって、外部電源を必要とせず、取り扱いが容易な噴霧器であり、かつ多くのマイナスイオンを生成可能な噴霧器を提供する。【解決手段】液体が霧状に噴霧されるスプレーノズルと、液体が満たされるボトルと、ボトル内の液体をスプレーノズルに移送する管路と、を有し、噴霧時に液体が、液体の特性を変化させる所定の材料を通過することにより、特性の変化した液体が噴霧時に周囲の大気をマイナスイオン化する構成とする。【選択図】図１
2008221214.tif 000002
【特許請求の範囲】
【請求項１】
液体を大気中に噴霧する噴霧器であって、
前記液体が霧状に噴霧されるスプレーノズルと、
前記液体が満たされるボトルと、
前記ボトル内の液体を前記スプレーノズルに移送する管路と、を有し、
前記管路の少なくとも一部に、そこを通過した前記液体が前記スプレーノズルから噴霧されることにより、周囲の大気をマイナスイオン化するような所定の材料が配されていることを特徴とする、噴霧器。
【請求項２】
前記所定の材料は、前記管路の少なくとも一部に形成された材料保持部内に収められていることを特徴とする、請求項１に記載の噴霧器。
【請求項３】
前記材料保持部は前記管路の中途に形成された中空部を有するカートリッジであり、前記所定の材料は前記カートリッジの中空部に収められていることを特徴とする、請求項２に記載の噴霧器。
【請求項４】
前記カートリッジが前記管路に対して着脱自在であることを特徴とする、請求項３に記載の噴霧器。
【請求項５】
前記所定の材料は粉砕された状態で前記材料保持部内に収められていることを特徴とする、請求項２から請求項４のいずれかに記載の噴霧器。
【請求項６】
前記粉砕された所定の材料の粒子径は0.1〜5mmであることを特徴とする、請求項５に記載の噴霧器。
【請求項７】
前記粉砕された所定の材料の粒子径は0.5〜1mmであることを特徴とする、請求項６に記載の噴霧器。
【請求項８】
前記カートリッジの少なくとも下流側には前記スプレーノズルに前記粉砕された所定の材料が入るのを防止する第１のフィルタが設置されていることを特徴とする、請求項３から請求項７のいずれかに記載の噴霧器。
【請求項９】
前記第１のフィルタはポリエチレン製のスポンジであることを特徴とする、請求項８に記載の噴霧器。
【請求項１０】
前記カートリッジの上流側には前記ボトルに前記粉砕された所定の材料が逆流するのを防止する第２のフィルタが設置されていることを特徴とする、請求項８または請求項９に記載の噴霧器。
【請求項１１】
前記第２のフィルタがポリエチレン製のスポンジであることを特徴とする、請求項１０に記載の噴霧器。
【請求項１２】
前記所定の材料が温度や圧力変化により周囲の物質を帯電させる材料であることを特徴とする、請求項１から請求項１１のいずれかに記載の噴霧器。
【請求項１３】
前記周囲の物質は、水を含むことを特徴とする、請求項１２に記載の噴霧器。
【請求項１４】
前記周囲の物質は、大気中の微粒子を含むことを特徴とする、請求項１２に記載の噴霧器。
【請求項１５】
前記所定の材料がトルマリン鉱石であることを特徴とする、請求項１２に記載の噴霧器。
【請求項１６】
前記所定の材料がトルマリン鉱石を配合したセラミックスであることを特徴とする、請求項１２に記載の噴霧器。
【請求項１７】
前記所定の材料が常温で遠赤外線を放射する材料であることを特徴とする、請求項１から請求項１１のいずれかに記載の噴霧器。
【請求項１８】
前記所定の材料が木炭であることを特徴とする、請求項１７に記載の噴霧器。
【請求項１９】
前記所定の材料が麦飯石である事を特徴とする、請求項１７に記載の噴霧器。
【請求項２０】
前記所定の材料が蛇紋石であることを特徴とする、請求項１７に記載の噴霧器。
【請求項２１】
前記所定の材料が木炭、麦飯石、蛇紋石のいずれかまたは複数を配合したセラミックスであることを特徴とする、請求項１７に記載の噴霧器。
【請求項２２】
前記所定の材料が微量の放射線を放射する材料であることを特徴とする、請求項１から請求項１１のいずれかに記載の噴霧器。
【請求項２３】
前記所定の材料がラジウム含有鉱石であることを特徴とする、請求項２２に記載の噴霧器。
【請求項２４】
前記所定の材料がラジウム含有鉱石を配合したセラミックスであることを特徴とする、請求項２２に記載の噴霧器。
【請求項２５】
前記噴霧器が、ポンプ式の噴霧器であることを特徴とする、請求項１から請求項２４のいずれかに記載の噴霧器。
【請求項２６】
ボトル内に保持された液体を、スプレーノズルより大気中に噴霧する噴霧器において、前記液体を前記スプレーノズルに移送する管路の少なくとも一部に中空部を有するカートリッジを備え、前記カートリッジには所定の材料が充填されており、前記所定の材料は、そこを通過した前記液体が前記スプレーノズルから噴霧されること周囲の大気をマイナスイオン化する性質を有すること、を特徴とする、噴霧器用カートリッジ。
【発明の詳細な説明】
【技術分野】
【０００１】
本発明は、液体を大気中に噴霧する噴霧器に関する。
【背景技術】
【０００２】
近年、例えば下記の非特許文献１や非特許文献２等の研究により、マイナスイオン（空気イオン）が健康に与える影響が示唆されており、マイナスイオン生成機能を有する空気清浄機等が実用化されている。なお、「マイナスイオン」とは負に帯電した微粒子を指し、また「マイナスイオン化した大気」とは負に帯電した微粒子が多数存在して大気中に浮遊している状態を指す。
【０００３】
通常、空気清浄機等で利用されているマイナスイオン生成機構は電極に高電圧をかけて放電させ、この放電によって空気をマイナスイオン化する電極式のマイナスイオン生成機構である。また、噴霧器によって大気中に液体を噴霧するときに周囲の大気をマイナスイオン化することが知られている（レナード効果）。
【非特許文献１】「マイナスイオン環境における人の快適性に関する研究」（新潟大学、コロナ（株）：日本機械学会第11回バイオエンジニアリング講演会講演論文集, pp.124-125,1999.3）
【非特許文献２】「マイナスイオンが中枢および自律神経活動に及ぼす影響」（九州芸工大、千葉大、他：日本生理人類学会第39回大会抄録集、p.60, 1998.6）
【発明の開示】
【発明が解決しようとする課題】
【０００４】
しかしながら、電極式のマイナスイオン生成機構は外部から電力を供給する必要がある、高電圧がかかる部品を内部に有するので取り扱いに制限が多い等の問題があった。また、レナード効果によるマイナスイオン生成は数千カウント／ｃｍ３程度と生成されるマイナスイオン量は少なかった。
【０００５】
本発明は、上記の問題に鑑み、外部電源を必要とせず、取り扱いが容易であり、かつ多くのマイナスイオンを生成可能な噴霧器を提供することを目的とする。
【課題を解決するための手段】
【０００６】
上記の目的を達成するため、請求項１に記載の噴霧器には、管路の少なくとも一部に、そこを通過した液体がスプレーノズルから噴霧されることにより、周囲の大気をマイナスイオン化するような所定の材料が配されている。請求項１に記載の噴霧器によれば、このように所定の材料によって特性を変質させられた液体によって噴霧時に大気のマイナスイオン化が促進される構成となっているため、通常の噴霧器と比べて多量のマイナスイオンが噴霧時に生成されると共に電極および電源を必要とすることがない。
【０００７】
また、好ましくは前記所定の材料は、前記管路の少なくとも一部に形成された材料保持部内に収められている。
【０００８】
また、好ましくは所定の材料は、材料保持部は前記管路の中途に形成された中空部を有するカートリッジであり、所定の材料はカートリッジの中空部に収められている。
【０００９】
また、好ましくは、カートリッジが前記管路から着脱自在であり、所定の材料を交換可能である。
【００１０】
また、好ましくは、所定の材料は粉砕された状態でカートリッジ内に収められている。このような構成とすることにより、効率よく液体が所定の材料と接触可能である。好ましくは、粉砕された所定の材料の粒子径は5mm未満であり、さらに好ましくは粉砕された所定の材料の粒子径は0.5〜1mmである。
【００１１】
また、カートリッジの少なくとも下流側にはスプレーノズルに粉砕された所定の材料が入るのを防止する第１のフィルタが設置されている。好ましくは、第１のフィルタはポリエチレン製のスポンジである。
【００１２】
また、カートリッジの上流側にはボトルに粉砕された所定の材料が逆流するのを防止する第２のフィルタが設置されている。好ましくは、第２のフィルタがポリエチレン製のスポンジである。
【００１３】
また、このような所定の材料としては、温度や圧力変化により周囲の物質を帯電させる材料がある。このような材料としてはトルマリン鉱石や、トルマリン鉱石を配合したセラミックス等のように永久分極している材料が挙げられる。
【００１４】
また、このような所定の材料としては、常温で遠赤外線を放射する材料がある。液体に遠赤外線を放射すると、液体に含まれる水分のクラスター（ファンデルワールス力などの微小な力や水素結合によって複数の分子が結合していたもの）が分割され、噴霧時の液体粒子径が小さくなりやすい。また、一般に液体が大気中に噴霧される場合は、噴霧された液体の粒子が小さいほど周囲の大気をマイナスイオン化するといわれている。
【００１５】
さらに、このような材料としては、木炭、麦飯石、蛇紋石、或いはこれらのいずれかまたは複数を配合したセラミックスが挙げられる。
【００１６】
また、このような所定の材料としては、微量の放射線を放射する材料がある。放射線の電離作用により液体中の水分が電離し、その結果、周囲の物質を帯電させる材料と同様の効果により、噴霧時に周囲の大気をマイナスイオン化する。
【００１７】
このような材料としては、ラジウム含有鉱石や、ラジウム含有鉱石を配合したセラミックスが挙げられる。
【発明を実施するための最良の形態】
【００１８】
以下、図１および図２を用いて本発明の実施の形態の噴霧器の構造を説明する。図１は本発明の実施の形態による噴霧器１の全体像であり、図２は噴霧器１の主要部の詳細図である。噴霧器１はボトル部２００とスプレーヘッド３００を有する。ボトル部２００は片端開放の円筒形状の容器であり、その中には水を溶媒とする液体Ｌが満たされている。ボトル部２００の開放端２１０の外周にはおねじ部２１１が形成されている。なお、本実施形態においては図１に示すように、噴霧器１のスプレーノズル側を「上」、スプレーノズルに対する遠位端側を「下」と定義しているが、噴霧器１は後述する空気穴を介してシリンダ（後述）内の空気がボトル部２００内に排出される構成であれば良く、他の構成も可能である。例えば、噴霧器１全体が斜めに傾いている構成であっても良い。
【００１９】
スプレーヘッド３００は、フィルタカートリッジ３１０、溶液取り込みチューブ３２１、ピストンユニット３３０、スプレーノズル３４０、およびキャップ３５０を有する。
【００２０】
フィルタカートリッジ３１０はその上下端からパイプが突出した中空円柱状の部材であり、段つき円筒状部材であるカートリッジ本体３１１、段部分に円盤状のフランジ部材３１２ａが突出している段つき円筒状部材であるカートリッジキャップ３１２、円盤状のフィルタ（上）３１３およびフィルタ（下）３１４、および充填材Ｍから構成されている。
【００２１】
カートリッジ本体３１１の細径円筒部３１１ａはフィルタカートリッジ３１０の下端側のパイプを成す。細径円筒部３１１ａの外径は溶液取り込みチューブ３２１の外径と略等しい。また、細径円筒部３１１ａの外径および溶液取り込みチューブ３２１の外径は円筒形の部材である中継チューブ３２２の内径よりもやや大きくなるよう設定されている。中継チューブ３２２の両端からカートリッジ本体３１１の細径円筒部３１１ａおよび溶液取り込みチューブ３２１を嵌入することにより、細径円筒部３１１ａと溶液取り込みチューブ３２１とは水密に接続される。
【００２２】
カートリッジ本体３１１には充填材Ｍが充填されている。なお、本実施形態の充填材Ｍは本願特許請求の範囲における「所定の材料」に相当する。本実施形態においては充填材Ｍは粒子径が0.5〜1mm程度となるように粉砕されたトルマリン鉱石である。トルマリン鉱石は水分や大気中の微粒子など周囲の物質を帯電させる材料である。特に、温度や圧力の変化によってより効果的に周囲の物質を帯電させる。また、充填材Ｍがフィルタカートリッジ３１０から流出しないよう充填材Ｍはフィルタ（上）３１３とフィルタ（下）３１４の間に封入されている。フィルタ（上）３１３およびフィルタ（下）３１４は共にポリエチレン製のスポンジであり、その目の粗さは充填材Ｍと比較して極めて小さいので、液体Ｌのみがフィルタカートリッジ３１０を通過可能となっている。
【００２３】
なお、本実施形態においては充填材Ｍの粒子径を0.5〜1mm程度としているが本発明はこの構成に限定されるものではなく、噴霧器を構成する各部品の寸法や仕様、充填材の特性などに応じて様々な粒子径の充填材が使用可能である。
【００２４】
カートリッジキャップ３１２は細径円筒部３１２ｂと太径円筒部３１２ｃとがフランジ部材３１２ａを介して接合された部材であり、太径円筒部３１２ｃの外径はカートリッジ本体３１１の太径円筒部３１１ｂの内径よりわずかに大きく構成されている。カートリッジ本体３１１の太径円筒部３１１ｂにカートリッジキャップ３１２の太径円筒部３１２ｃを嵌入することにより、カートリッジキャップ３１２とカートリッジ本体３１１とは水密に接続される。
【００２５】
ピストン部３３０はシリンダ３３１、金属球３３２、金属球押さえ３３４、スプリング３３３、ピストン部３３５を有する。
【００２６】
シリンダ３３１は細径部３３１ａ、中径部３３１ｂ、太径部３３１ｃがこの順に接合された２段の段つき円筒状の部材であり、また太径部３３１ｃの中途から円盤部３３１ｅがフランジ状に突出している。細径部３３１ａの外径はカートリッジキャップ３１２の細径円筒部３１２ｂの内径よりもよりわずかに大きく構成されている。シリンダ３３１の細径部３３１ａをカートリッジキャップ３１２の細径円筒部３１２ｂに嵌入することにより、シリンダ３３１とカートリッジキャップ３１２は水密に接続される。また、シリンダ３３１の太径部３３１ｃの側面には空気穴３３１ｆが穿孔されている。
【００２７】
シリンダ３３１にはピストン部３３５が上方（すなわちシリンダ３３１の太径部３３１ｃ側）より摺動可能に挿入される。ピストン部３３５はシリンダ３３１の太径部３３１ｃと摺動するピストン本体３３５ｃと、ピストン本体３３５ｃから下方に延出して形成された円筒形状のスカート部３３５ａと、ピストン本体３３５ｃから上方に延出して形成された円筒形状のパイプ部３３５ｄを有する。また、ピストン３３５の内部には、スカート部３３５の下端からパイプ部３３５ｄの上端まで延びる管路が形成されている。
【００２８】
シリンダ３３１の太径部３３１の内壁部はわずかにくびれており、ピストン部３３５のピストン本体３３５ｃとシリンダ３３１の太径部３３１とはこのくびれ部分３３１ｄの位置で互いに密着しながら摺動可能となっている。
【００２９】
ピストン部３３５のスカート部３３５ａの下端は下方に向かって広がるテーパ管３３５ｂとして形成されており、テーパ管３３５ｂの下端の径はシリンダ３３１の中径部３３１ｂの内径よりやや大きい。また、ピストン部３３５のスカート部３３５ａの外径はシリンダ３３１の中径部３３１ｂの内径より小さい。ここで、ピストン部３３５をシリンダ３３１に下方に押し込まれると、テーパ管３３５ｂの下端はシリンダ３３１の中径部３３１ｂに接触する。この状態からさらにピストン部３３５を下方に押し込むと、テーパ管３３５ｂが変形し、テーパ管３３５ｂの下端とシリンダ３３１の中径部３３１ｂの内壁が密着する。
【００３０】
また、スカート部３３５ａにはスプリング３３３が下方より嵌入されている。スプリング３３３の上端はピストン部３３５のピストン本体３３５ｃの下端に当接している。スプリング３３３には棒状の部材である金属球押さえ３３４が下方から装着されている。ピストン部３３５がシリンダ３３１に嵌入されているときは、スプリング３３３は圧縮ばねとして機能し、金属球押さえ３３４はその下方に配置されているステンレス鋼製の金属球３３２を下方に付勢している。金属球３３２の径は、ピストン部３３１の細径部３３１ａの内径よりも大きいので、金属球押さえ３３４によって付勢された金属球３３２はシリンダ３３１からフィルタカートリッジ３１０への液体Ｌや空気の逆流を防止する、一種の逆止弁として機能する。
【００３１】
キャップ３５０は一種の段つき円筒として構成されており、キャップ３５０の下部の太径部３５２からピストン部３３５の装着されたシリンダ３３１をキャップ３５０に挿入すると、キャップ３５０の段つき部３５１とシリンダ３３１の円盤部３３１ｅの上面は当接する。また、このときピストン部３３５のパイプ部３３５ｄはキャップ３５０の細径部３５３の上端より突出する。また、キャップ３５０の太径部３５２の内壁にはめねじ３５２ａが形成されている。このめねじ３５２ａはボトル部２００のおねじ部２１１と螺接しており、シリンダ３３１およびピストン部３３５が装着されたキャップ３５０をボトル部２００に螺着することにより、シリンダ３３１の円盤部３３１ｅはボトル部２００の開放端２１０の上端に付勢され、結果としてシリンダ３３１はボトル２００に固定される。なお、ボトル部２００の開放端２１０の上端とシリンダ３３１の円盤部３３１ｅの間にはパッキン３６０が設置されており、ボトル部２００の開放端２１０の上端とシリンダ３３１の円盤部３３１ｅの隙間から液体Ｌが流出するのを防止している。
【００３２】
スプレーノズル３４０は片端開放の円筒形状の部材であり、その開放端が下方をむくような形で、ピストン部３３５のパイプ部３３５ｄの上端が嵌入されている。スプレーノズル３４０の上面３４１にはＬ字状に折れ曲がる液体通路３４３が形成されており、この通路３４３の入口はスプレーノズル３４０の上面３４１の内壁部に、出口はスプレーノズル３４０の側面外壁にそれぞれ形成されている。すなわちスプレーノズル３４０の液体通路３４３の上流側３４３ａはスプレーノズル３４０の上面３４１の内壁部から上に向かってスプレーノズル３４０の上面３４１の内部に至る管路であり、液体通路３４３の下流側３４３ｂは上面３４１の内部からスプレーノズル３４０の側面外壁に向かって水平方向に走る管路である。ピストン部３３５のパイプ部３３５ｄの上端はこの液体通路３４３の上流側３４３ａに水密に嵌入されている。
【００３３】
また、液体通路３４３の下流側３４３ｂの出口（すなわちスプレーノズル３４０の側面外壁）近辺は出口に向かって径が細くなるテーパ管３４３ｃとして形成されている。
【００３４】
以上のように構成された噴霧器１によって液体Ｌが噴霧される手順を説明する。図３はスプレーノズル３４０を下方に押し込んで液体Ｌを噴霧させた状態を示したものである。
【００３５】
スプレーノズル３４０を下方に押し込むと、ピストン３３５はシリンダ３３１内に下方に押し込まれる。このため、シリンダ３３１内の空気は空気穴３３１ｆからボトル部２００内に排出される。
【００３６】
この結果、ボトル部２００内の気圧が上昇し、ボトル部２００内の空気は液体Ｌを下方に押圧する。押圧された液体Ｌは溶液取り込みチューブ３２１、フィルタカートリッジ３１０を順次通過し、さらにスプリング３３３にて下方に付勢されている金属球３３２を上方に押し上げる。
【００３７】
このとき、ピストン部のスカート部３３５ａの下端テーパ管３３５ｂはシリンダ３３１の中径部３３１ｂに達しているため、金属球３３２を押し上げてシリンダ３３１の中径部３３１ｂに流入した液体Ｌはシリンダ３３１の大径部３３１ｃに向かうことなく、ピストン部３３５のスカート部３３５ａを通ってピストン部３３５のパイプ部３３５ｄに向かう。
【００３８】
ピストン部３３５のパイプ部３３５ｄに向かった液体Ｌは、スプレーノズル３４０の液体通路３４３に移動する。液体通路３４３の出口付近は、出口に向かうほど細くなるテーパ管３４３ｃであるので、テーパ管３４３ｃ近辺での水圧は上昇する。このように高圧の液体は液体通路３４３の出口から放出されると、霧状に拡散して噴霧される。
【００３９】
以上のように、本発明の噴霧器１によれば、ボトル部２００内の液体Ｌは充填材Ｍが充填されたスプレーカートリッジ３１０内を通過した後に噴霧されるよう構成されている。
【００４０】
本実施形態による噴霧器１にて、噴霧後の大気中に含まれるマイナスイオン数を測定した計測結果を以下に示す。なお、比較対照として、本実施形態による噴霧器１からフィルタカートリッジ３１０を取り除いたもの、すなわち噴霧器１のシリンダ３３１の細径部３３１ａと溶液取り込みチューブ３２１とが中継チューブ３２２にて水密に接続されている構成の噴霧器によるマイナスイオン数の測定結果も示す。
【００４１】
マイナスイオン数の測定は、（株）シグマテック製イオンカウンタＳＣ−５０を用いて行った。測定は、噴霧器をイオンカウンタのセンサから30cm離し、噴霧器のスプレーノズル３４０のテーパ管３４３ｃをイオンカウンタのセンサに向けて液体Ｌを１回（噴霧量0.2グラム）噴霧することによって行った。また、イオンカウンタのセンサ後方に取り付けられたブロワによって毎分60リットルの空気を噴霧器からセンサに向かう方向に吸引した。また、測定時の気温は20℃、相対湿度は54％であった。以上のように計測されたマイナスイオン数を表１に示す。なお、測定結果はそれぞれ３回の計測による平均値である。
【００４２】
【表１】
2008221214.tif 000003
【００４３】
表１に示されるように、本実施形態の噴霧器によれば、フィルタカートリッジ３１０を取り除いた噴霧器に比べて２０倍以上のマイナスイオンを発生させることが可能である。
【００４４】
なお、本実施形態においてはトルマリン鉱石を粉砕して充填材Ｍとして利用しているが、その充填材を通過して噴霧された液体Ｌが周囲の大気をマイナスイオン化するような他の材料を充填材として利用しても良い。このような材料としては、トルマリン鉱石やトルマリン鉱石を配合したセラミックス等の帯電している物質のほか、遠赤外線を放射する物質や、微量の放射線を放射する物質が適している。
【００４５】
「遠赤外線を効率よく放射する物質」としては、例えば麦飯石や蛇紋石、木炭、およびこれらの物質を配合したセラミック等がある。また、「微量の放射線を放射する物質」としては、ラジウム含有鉱石およびラジウム含有鉱石を配合したセラミック等がある。
【００４６】
また、本実施形態の噴霧器１は、充填材Ｍが交換可能となっている。本実施形態においては、フィルタカートリッジ３１０のカートリッジキャップ３１２の細径円筒部３１２ｂをシリンダ３３１の細径部３３１ａから引き抜くと共に、中継チューブ３２２をフィルタカートリッジ３１０のカートリッジ本体３１１の細径円筒部３１１ａから引き抜くことにより、フィルタカートリッジ３１０を取り出すことができる。充填材Ｍを交換する際には、上記の手順によってフィルタカートリッジ３１０を取りだし、新しいフィルタカートリッジ３１０を代わりにシリンダ３３１の細径部３３１ａおよび中継チューブ３２２に取り付ける。
【００４７】
なお、本実施形態においてはフィルタカートリッジ３１０ごと充填材Ｍを交換する構成としているが、本発明は上記方法に限定されるものではない。例えば、カートリッジキャップ３１２からカートリッジ本体３１１を切り離してカートリッジ本体３１１のみを交換する構成としても良く、あるいはスプレーヘッド３００ごと交換する構成としても良い。
【００４８】
また、本実施形態においては溶液取り込みチューブ３２１とシリンダ３３１の間にフィルタカートリッジ３１０が設けられている構成としているが、フィルタカートリッジ３１０溶液取り込みチューブ３２１とシリンダ３３１にいたる液体Ｌの管路内であればどこに取り付けられても良い。例えば、溶液取り込みチューブ３２１の上流側、或いはスプレーノズル３４０の手前にフィルタカートリッジ３１０が取り付けられる構成としても良い。
【００４９】
また、噴霧量等に応じてフィルタカートリッジ３１０や管路の寸法、充填材Ｍの選択や粒子径などを決定する構成としても良い。
【００５０】
本発明に係る噴霧器は、電極式のマイナスイオン生成機構のように、高電圧部分を内蔵する必要がないため、構造が簡単で携帯性に優れる。従って、本発明に係る噴霧器は、水に限らず、水を溶媒とする様々な液体を噴霧する噴霧器に適用可能である。このような噴霧器としては、水を液体として利用する加湿器、化粧水を液体として利用する化粧水スプレー、水溶性の芳香剤を液体として利用する芳香剤噴霧器等がある。
【００５１】
さらに、上記実施形態においては、一例として特定の構造の噴霧器について詳細に説明したが、本発明はこれに限定されるものではなく、この噴霧器とは異なる構造を有する噴霧器に対しても、ボトルからスプレーノズルへ液体を導く管路に充填材Ｍが充填されたカートリッジを配することにより、同様の効果を得ることができる。
【図面の簡単な説明】
【００５２】
【図１】本発明の実施の形態の噴霧器の全体を示す図である。
【図２】本実施形態の噴霧器の主要部の詳細図である。
【図３】液体を噴霧している本実施形態の噴霧器を示す図である。
【符号の説明】
【００５３】
１      噴霧器
２００      ボトル部
３００      スプレーヘッド
３１０      フィルタカートリッジ
３１３      フィルタ（上）
３１４      フィルタ（下）
３４０      スプレーノズル
Ｌ      液体
Ｍ      充填材
【図１】
2008221214.tif 000004
【図２】
2008221214.tif 000005
【図３】
2008221214.tif 000006
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
液体を大気中に噴霧する噴霧器であって、
前記液体が霧状に噴霧されるスプレーノズルと、
前記液体が満たされるボトルと、
前記ボトル内の液体を前記スプレーノズルに移送する管路と、を有し、
前記管路の少なくとも一部に、そこを通過した前記液体が前記スプレーノズルから噴霧されることにより、周囲の大気をマイナスイオン化するような所定の材料が配されていることを特徴とする、噴霧器。